(57)【要約】【課題】ポリマー紙幣の有無の誤検知を防止できる紙幣検知装置等を提供する。【解決手段】偏光特性を有する透明部を一部に有するポリマー紙幣を搬送路上で検知する。紙幣検知装置は、第１の検知部と、第２の検知部と、判定部とを有する。第１の検知部は、透明部を透過する光に対して直交する第１の検知光を搬送路上に投光し、投光された第１の検知光を受光して第１の直交透過率を取得する。第２の検知部は、透明部を透過する光に対して直交し、第１の検知光と異なる波長の第２の検知光を搬送路上に投光し、投光された第２の検知光を受光して第２の直交透過率を取得する。判定部は、第１の検知部で取得された透明部に対する第１の直交透過率と第２の検知部で取得された透明部に対する第２の直交透過率との間の差分に基づき、搬送路上を通過するポリマー紙幣の有無を判定する。【選択図】図７
2020154461.tif 000002
【特許請求の範囲】
【請求項１】
偏光特性を有する透明部を一部に有するポリマー紙幣を搬送路上で検知する紙幣検知装置であって、
前記透明部を透過する光に対して直交する第１の検知光を前記搬送路上に投光し、投光された前記第１の検知光を受光して第１の直交透過率を取得する第１の検知部と、
前記透明部を透過する光に対して直交し、前記第１の検知光と異なる波長の第２の検知光を前記搬送路上に投光し、投光された前記第２の検知光を受光して第２の直交透過率を取得する第２の検知部と、
前記第１の検知部で取得された前記透明部に対する第１の直交透過率と前記第２の検知部で取得された前記透明部に対する第２の直交透過率との間の差分に基づき、前記搬送路上を通過する前記ポリマー紙幣の有無を判定する判定部と
を有することを特徴とする紙幣検知装置。
【請求項２】
前記判定部は、
前記第１の直交透過率と前記第２の直交透過率との間の差分がある場合に、前記搬送路上を通過中の前記ポリマー紙幣が有ると判定することを特徴とする請求項１に記載の紙幣検知装置。
【請求項３】
前記第１の検知部及び前記第２の検知部は、
前記搬送路上の搬送方向と直交する幅方向に並列に配置され、
前記第１の検知部は、
前記幅方向にある第１の位置に前記第１の検知光を投光し、
前記第２の検知部は、
前記第１の位置と前記幅方向に離間した第２の位置に前記第２の検知光を前記第１の検知光と同一のタイミングで投光することを特徴とする請求項１に記載の紙幣検知装置。
【請求項４】
前記判定部は、
前記第１の検知部からの前記第１の直交透過率を入力する第１の入力部と、
前記第２の検知部からの前記第２の直交透過率を入力する第２の入力部と、
前記第１の入力部から入力された前記第１の直交透過率を遅延出力する遅延回路と、
前記遅延回路にて遅延後の第１の直交透過率と、前記第２の入力部から入力された前記第２の直交透過率との間に差分がある場合にハイレベル信号を出力するオペアンプと、
前記遅延回路にて遅延後の第１の直交透過率が所定閾値レベル以下の場合にハイレベル信号を出力する反転回路と、
前記オペアンプの前記ハイレベル信号又は前記反転回路のハイレベル信号の何れか一方の出力で前記搬送路上を通過中のポリマー紙幣が有るとする出力信号を出力するオア回路と
を有することを特徴とする請求項１に記載の紙幣検知装置。
【請求項５】
前記第１の検知部は、
前記第１の検知光を投光する第１の発光部と、前記第１の発光部で投光された前記第１の検知光を受光する第１の受光部とを有し、
前記第１の発光部は、
前記第１の検知光を発光する第１の光源と、
前記第１の光源にて発光された前記第１の検知光から、前記透明部を透過する光に対して直交する偏波の前記第１の検知光を透過し、透過後の前記第１の検知光を投光する第１の偏光板と
を有し、
前記第２の検知部は、
前記第２の検知光を投光する第２の発光部と、前記第２の発光部で投光された前記第２の検知光を受光する第２の受光部とを有し、
前記第２の発光部は、
前記第２の検知光を発光する第２の光源と、
前記第２の光源にて発光された前記第２の検知光から前記偏波の前記第２の検知光を透過し、透過後の前記第２の検知光を投光する第２の偏光板と
を有することを特徴とする請求項１に記載の紙幣検知装置。
【請求項６】
前記第１の検知部は、
前記第１の検知光を投光する第１の発光部と、前記第１の発光部で投光された前記第１の検知光を受光する第１の受光部とを有し、
前記第１の受光部は、
前記第１の発光部にて投光された前記第１の検知光から、前記透明部を透過する光に対して直交する偏波の前記第１の検知光を透過する第１の偏光板と、
前記第１の偏光板にて透過後の前記第１の検知光を受光する第１の受光素子と
を有し、
前記第２の検知部は、
前記第２の検知光を投光する第２の発光部と、前記第２の発光部で投光された前記第２の検知光を受光する第２の受光部とを有し、
前記第２の受光部は、
前記第２の発光部にて投光された前記第２の検知光から前記偏波の前記第２の検知光を透過する第２の偏光板と、
前記第２の偏光板にて透過後の前記第２の検知光を受光する第２の受光素子と
を有することを特徴とする請求項１に記載の紙幣検知装置。
【請求項７】
前記第２の検知部は、
前記透明部に対して、前記第１の直交透過率と前記第２の直交透過率との間で前記差分が出るように前記第１の検知光の直交透過率が異なる波長の前記第２の検知光を投光することを特徴とする請求項１に記載の紙幣検知装置。
【請求項８】
偏光特性を有する透明部を一部に有するポリマー紙幣を搬送路上で検知する紙幣検知装置が、
前記透明部を透過する光に対して直交する第１の検知光を前記搬送路上に投光し、投光された前記第１の検知光を受光して第１の直交透過率を取得し、
前記透明部を透過する光に対して直交し、前記第１の検知光と異なる波長の第２の検知光を前記搬送路上に投光し、投光された前記第２の検知光を受光して第２の直交透過率を取得し、
取得された前記透明部に対する第１の直交透過率と、取得された前記透明部に対する第２の直交透過率との間の差分に基づき、前記搬送路上を通過する前記ポリマー紙幣の有無を判定する
処理を実行することを特徴とするポリマー紙幣検知方法。
【請求項９】
偏光特性を有する透明部を一部に有するポリマー紙幣を搬送路上で検知する紙幣検知装置であって、
前記透明部を透過する光に対して直交する第１の検知光を前記搬送路上に投光し、投光された前記第１の検知光を受光して第１の直交透過率を取得すると共に、前記透明部を透過する光に対して直交し、前記第１の検知光と異なる波長の第２の検知光を前記搬送路上に投光し、投光された前記第２の検知光を受光して第２の直交透過率を取得する検知部と、
前記検知部で取得された前記第１の直交透過率と前記第２の直交透過率との間の差分に基づき、前記搬送路上を通過する前記ポリマー紙幣の有無を判定する判定部と
を有することを特徴とする紙幣検知装置。
【発明の詳細な説明】
【技術分野】
【０００１】
本発明は、紙幣検知装置及びポリマー紙幣検知方法に関する。
【背景技術】
【０００２】
近年、耐久性や防水性に優れたポリマー紙幣が採用されている。そこで、紙幣検知装置では、搬送路上を通過するポリマー紙幣の有無を検知する装置がある。紙幣検知装置では、ポリマー紙幣の透明部又は半透明部に検知光を投光し、投光された検知光を受光し、検知光に対する受光量に基づき、ポリマー紙幣の有無を判定している。その結果、紙幣検知装置は、搬送路上を通過するポリマー紙幣の有無を検知できる。
【先行技術文献】
【特許文献】
【０００３】
【特許文献１】特開２０１８−１４４９８９号公報
【特許文献２】特開２０１０−０７９３７６号公報
【特許文献３】特開２０１７−１０７２９１号公報
【発明の概要】
【発明が解決しようとする課題】
【０００４】
しかしながら、紙幣検知装置では、例えば、埃、温度や周囲の光源等の外部環境によってポリマー紙幣に対する検知光の受光量が大きく変動する。その結果、紙幣検知装置では、外部環境による受光量の大きな変動によって、ポリマー紙幣の有無を誤検知するおそれがある。
【０００５】
一つの側面では、ポリマー紙幣の有無の誤検知を防止できる紙幣検知装置等を提供することにある。
【課題を解決するための手段】
【０００６】
一つの態様の紙幣検知装置では、偏光特性を有する透明部を一部に有するポリマー紙幣を搬送路上で検知する。紙幣検知装置は、第１の検知部と、第２の検知部と、判定部とを有する。第１の検知部は、透明部を透過する光に対して直交する第１の検知光を搬送路上に投光し、投光された第１の検知光を受光して第１の直交透過率を取得する。第２の検知部は、透明部を透過する光に対して直交し、第１の検知光と異なる波長の第２の検知光を搬送路上に投光し、投光された第２の検知光を受光して第２の直交透過率を取得する。判定部は、第１の検知部で取得された透明部に対する第１の直交透過率と第２の検知部で取得された透明部に対する第２の直交透過率との間の差分に基づき、搬送路上を通過するポリマー紙幣の有無を判定する。
【発明の効果】
【０００７】
一つの側面として、ポリマー紙幣の有無の誤検知を防止できる。
【図面の簡単な説明】
【０００８】
【図１】図１は、本実施例の紙幣取扱装置の一例を示す説明図である。
【図２】図２は、紙幣取扱装置の機能構成の一例を示すブロック図である。
【図３】図３は、ポリマー紙幣の構成の一例を示す説明図である。
【図４】図４は、紙幣検知装置の機能構成の一例を示すブロック図である。
【図５】図５は、紙幣検知装置内の第１の検知部及び第２の検知部の配置構成の一例を示す側面図である。
【図６】図６は、第１の検知部及び第２の検知部の配置構成の一例を示す平面図である。
【図７】図７は、第１の検知部（第２の検知部）の一例を示す説明図である。
【図８】図８は、ポリマー紙幣に対する検知光の波長と直交透過率との関係の一例を示す説明図である。
【図９】図９は、ポリマー紙幣の部位と直交透過率との関係の一例を示す説明図である。
【図１０】図１０は、検出回路の一例を示す説明図である。
【図１１】図１１は、ポリマー紙幣通過前の第１の検知部（第２の検知部）の動作の一例を示す説明図である。
【図１２】図１２は、ポリマー紙幣の不透明部が通過時の第１の検知部（第２の検知部）の動作の一例を示す説明図である。
【図１３】図１３は、ポリマー紙幣の透明部が通過時の第１の検知部（第２の検知部）の動作の一例を示す説明図である。
【図１４】図１４は、ポリマー紙幣の有無を検知する検出回路内の各出力波形の一例を示す説明図である。
【図１５】図１５は、比較例の紙幣検知装置におけるポリマー紙幣の部位と透過率との関係の一例を示す説明図である。
【図１６】図１６は、他の実施例の紙幣検知装置の機能構成の一例を示すブロック図である。
【図１７】図１７は、他の実施例の第１の検知部（第２の検知部）の一例を示す説明図である。
【発明を実施するための形態】
【０００９】
以下、図面に基づいて、本願の開示する紙幣検知装置等の実施例を詳細に説明する。尚、本実施例により、開示技術が限定されるものではない。また、以下に示す各実施例は、矛盾を起こさない範囲で適宜組み合わせても良い。
【実施例】
【００１０】
［紙幣取扱装置の構成］
図１は、本実施例の紙幣取扱装置１の一例を示す説明図である。図１に示す紙幣取扱装置１は、一般の利用者を対象としており、返却部を兼ねる入出金部１１と、鑑別部１２と、複数の保留部１３と、複数の収容部１４と、搬送部１５と、制御部１６とを有する。尚、紙幣取扱装置１で取り扱う紙幣Ｐには、例えば、ポリマー紙幣Ｐ１と、通常の紙幣Ｐ２とを含むものとする。
【００１１】
入出金部１１には、利用者が入出金する紙幣Ｐが収容される収容空間１７が設けられている。入出金部１１は、例えば、入金取引が中止された場合に紙幣Ｐが返却される返却部を兼ねている。返却部は、入出金部１１と別に設けられてもよい。
【００１２】
鑑別部１２は、入出金部１１から入金された紙幣Ｐの金種を含む所定の分類条件を鑑別する。分類条件としては、例えば、金種、損傷状態、外形寸法を含む。分類条件として金種を用いており、鑑別部１２にあらかじめ設定された金種に関する鑑別データに基づいて紙幣Ｐの金種が鑑別される。なお、鑑別部１２によって金種が鑑別不能な紙幣Ｐ、例えば、部分的に欠損した紙幣Ｐ等は、鑑別部１２から保留部１３に送られることなく、鑑別部１２から入出金部１１へ戻されて返却される。本実施例では、鑑別部１２には、紙幣Ｐの内、ポリマー紙幣Ｐ１の有無を検知する紙幣検知装置１０が内蔵されている。
【００１３】
複数の保留部１３には、入金された紙幣Ｐに関する入金取引が確定する前に、鑑別部１２によって金種が鑑別された紙幣Ｐが、分類条件である金種に基づいて分類されてそれぞれ収容される。なお、１つの保留部１３には、１種類の紙幣Ｐのみが収容される構成に限定されるものでなく、必要に応じて、複数の金種の紙幣Ｐが収容されてもよい。
【００１４】
入金取引は、入金した紙幣Ｐの金額と、鑑別部１２によって鑑別された紙幣Ｐの金額とが一致することを利用者が承認することで、入金取引が確定する。また、入金取引の途中で利用者が入金取引を中止した場合には、保留部１３から入出金部１１へ戻されて返却される。
【００１５】
図２は、紙幣取扱装置１の機能構成の一例を示すブロック図である。図２に示す紙幣取扱装置１は、搬送部１５及び鑑別部１２の他に、入力部２１と、出力部２２と、ＲＯＭ（Read  Only  Memory）２３と、ＲＡＭ（Random  Access  Memory）２４と、ＣＰＵ（Central  Processing  Unit）２５とを有する。入力部２１は、各種情報を入力する、例えば、操作部等の入力インタフェースである。出力部２２は、各種情報を出力する、例えば、表示部等の出力インタフェースである。ＲＯＭ２３は、各種情報、例えば、プログラム等を格納する領域である。ＲＡＭ２４は、各種情報を格納する領域である。ＣＰＵ２５は、紙幣取扱装置１全体を制御する。
【００１６】
［ポリマー紙幣の構成］
図３は、ポリマー紙幣Ｐ１の構成の一例を示す説明図である。図３に示すポリマー紙幣Ｐ１は、不透明部４１と、透明部４２とを有する。不透明部４１は、後述する紙幣検知装置１０内の第１の検知部３０Ａ及び第２の検知部３０Ｂの検知光に対する直交透過率が著しく低下する領域である。透明部４２は、第１の検知部３０Ａ及び第２の検知部３０Ｂの検知光と直交する光を透過する、検知光に対する直交透過率が所定レベル以下に低下する偏光特性を有する領域である。
【００１７】
［紙幣検知装置の構成］
図４は、紙幣検知装置１０の機能構成の一例を示すブロック図である。図４に示す紙幣検知装置１０は、第１の検知部３０Ａと、第２の検知部３０Ｂと、検出回路５０とを有する。第１の検知部３０Ａは、ポリマー紙幣Ｐ１の透明部４２を透過する光に対して直交する第１の波長の検知光である第１の検知光を搬送路上に投光し、投光された第１の検知光を受光して第１の直交透過率を取得する。第１の検知部３０Ａは、搬送路上をポリマー紙幣Ｐ１が縦長搬送で通過する場合、第１の検知光を通過するポリマー紙幣Ｐ１に対して投光し、投光された第１の検知光を受光して第１の直交透過率を取得する。
【００１８】
第２の検知部３０Ｂは、透明部４２を透過する光に対して直交し、第１の波長と異なる第２の波長の検知光である第２の検知光を搬送路上に投光し、投光された第２の検知光を受光して第２の直交透過率を取得する。第２の検知部３０Ｂは、搬送路上をポリマー紙幣Ｐ１が縦長搬送で通過する場合、第２の検知光を通過するポリマー紙幣Ｐ１に対して投光し、投光された第２の検知光を受光して第２の直交透過率を取得する。
【００１９】
検出回路５０は、第１の検知部３０Ａで取得された透明部４２に対する第１の直交透過率と、第２の検知部３０Ｂで取得された透明部４２に対する第２の直交透過率との間の差分に基づき、搬送路上を通過するポリマー紙幣Ｐ１の有無を判定する。検出回路５０は、第１の直交透過率と第２の直交透過率との間に差分がある場合に搬送路上を通過中のポリマー紙幣Ｐ１が有ると判定する。
【００２０】
図５は、紙幣検知装置１０内の第１の検知部３０Ａ及び第２の検知部３０Ｂの配置構成の一例を示す側面図、図６は、第１の検知部３０Ａ及び第２の検知部３０Ｂの配置構成の一例を示す平面図である。第１の検知部３０Ａ及び第２の検知部３０Ｂは、搬送路上の搬送方向Ｄ１と直交する幅方向Ｄ２に並列に配置される。第１の検知部３０Ａは、幅方向にある第１の位置Ｙ１に第１の検知光を投光する。また、第２の検知部３０Ｂは、第１の位置Ｙ１と幅方向に離間した第２の位置Ｙ２に第２の検知光を第１の検知光と同一のタイミングで投光する。
【００２１】
第１の検知部３０Ａは、第１の検知光を投光する第１の発光部３１Ａと、第１の発光部３１Ａで投光された第１の検知光を受光する第１の受光部３２Ａとを有する。第１の発光部３１Ａは、搬送路上の第１の位置Ｙ１に第１の検知光を投光する。第１の受光部３２Ａは、搬送路を挟んで第１の発光部３１Ａと対向する位置に配置される。第１の検知部３０Ａは、第１の発光部３１Ａと第１の受光部３２Ａとの間の第１の直交透過率を取得する。第１の発光部３１Ａは、搬送路上をポリマー紙幣Ｐ１が通過した場合、ポリマー紙幣Ｐ１の第１の直線Ｘ１上に第１の検知光を投光したことになる。そして、第１の検知部３０Ａは、搬送路上を通過するポリマー紙幣Ｐ１の第１の直線Ｘ１上の第１の直交透過率を取得する。
【００２２】
第２の検知部３０Ｂは、第２の検知光を投光する第２の発光部３１Ｂと、第２の発光部３１Ｂで投光された第２の検知光を受光する第２の受光部３２Ｂとを有する。第２の発光部３１Ｂは、第１の位置Ｙ１と幅方向Ｄ２に離間した第２の位置Ｙ２に第２の検知光を第１の検知光と同一のタイミングで投光する。第２の受光部３２Ｂは、搬送路を挟んで第２の発光部３１Ｂと対向する位置に配置される。第２の検知部３０Ｂは、第２の発光部３１Ｂと第２の受光部３２Ｂとの間の第２の直交透過率を取得する。第２の発光部３１Ｂは、搬送路上をポリマー紙幣Ｐ１が通過した場合、ポリマー紙幣Ｐ１の第２の直線Ｘ２上に第２の検知光を投光したことになる。そして、第２の検知部３０Ｂは、搬送路上を通過するポリマー紙幣Ｐ１の第２の直線Ｘ２上の第２の直交透過率を取得する。
【００２３】
図７は、第１の検知部３０Ａ（第２の検知部３０Ｂ）の一例を示す説明図である。第１の検知部３０Ａ内の第１の発光部３１Ａは、第１の光源３３Ａと、第１の偏光板３４Ａとを有する。第１の光源３３Ａは、第１の検知光を発光する。尚、第１の検知光は、例えば、７００ｎｍの波長の検知光である。ポリマー紙幣Ｐ１の透明部４２は、例えば、Ｓ波の光を透過するスリット構造の偏光特性を有するものとする。この場合、第１の偏光板３４Ａは、第１の光源３３Ａにて発光された第１の検知光から、Ｓ波と直交するＰ波の第１の検知光を透過し、透過後のＰ波の第１の検知光を投光する偏光板である。第１の検知部３０Ａ内の第１の受光部３２Ａは、第１の偏光板３４Ａにて投光された第１の検知光を受光する第１の受光素子３５Ａを有する。
【００２４】
また、第２の検知部３０Ｂ内の第２の発光部３１Ｂも、第２の光源３３Ｂと、第２の偏光板３４Ｂとを有する。第２の光源３３Ｂは、第２の検知光を発光する。尚、第２の検知光は、第１の検知光と異なる波長、例えば、８５０ｎｍの波長の検知光である。第２の偏光板３４Ｂは、第２の光源３３Ｂにて発光された第２の検知光からＰ波の第２の検知光を透過し、透過後のＰ波の第２の検知光を投光する偏光板である。第２の検知部３０Ｂ内の第２の受光部３２Ｂも、第２の偏光板３４Ｂにて投光された第２の検知光を受光する第２の受光素子３５Ｂを有する。
【００２５】
図８は、ポリマー紙幣Ｐ１に対する検知光の波長と直交透過率との関係の一例を示す説明図である。ポリマー紙幣Ｐ１に対する検知光の波長は、図８に示すように、波長に応じて直交透過率が同じになる場合と異なる場合とがある。そこで、ポリマー紙幣に対する検知光の波長、すなわち第１の検知光及び第２の検知光は、第１の直交透過率と第２の直交透過率との間で差分が生じるように波長を設定する。第１の検知光は、例えば８５０ｎｍ、第２の検知光は、例えば７００ｎｍを設定する。
【００２６】
図９は、ポリマー紙幣Ｐ１の部位と直交透過率との関係の一例を示す説明図である。第１の受光部３２Ａは、搬送路上にポリマー紙幣Ｐ１無しの状態で第１の発光部３１Ａからの第１の検知光が投光された場合、投光された第１の検知光を受光することで、最大レベルＬ１の第１の直交透過率を取得する。第２の受光部３２Ｂは、搬送路上にポリマー紙幣Ｐ１無しの状態で第２の発光部３１Ｂからの第２の検知光が投光された場合、投光された第２の検知光を受光することで、最大レベルＬ１の第２の直交透過率を取得する。
【００２７】
また、第１の受光部３２Ａは、ポリマー紙幣Ｐ１の不透明部４１に対して第１の発光部３１Ａからの第１の検知光が投光された場合、投光された第１の検知光に対する直交透過率が著しく低下し、最小レベルＬ２の第１の直交透過率を取得する。第２の受光部３２Ｂは、ポリマー紙幣Ｐ１の不透明部４１に対して第２の発光部３１Ｂからの第２の検知光が投光された場合、投光された第２の検知光に対する直交透過率が著しく低下し、最小レベルＬ２の第２の直交透過率を取得する。
【００２８】
また、第１の受光部３２Ａは、ポリマー紙幣Ｐ１の透明部４２に対して第１の発光部３１Ａからの第１の検知光が投光された場合、最大レベルＬ１未満、かつ、最小レベルＬ２超えの第１の直交透過率を取得する。第２の受光部３２Ｂは、ポリマー紙幣Ｐ１の透明部４２に対して第２の発光部３１Ｂからの第２の検知光が投光された場合、最大レベルＬ１未満、かつ、最小レベルＬ２超えの第２の直交透過率を取得する。
【００２９】
尚、ポリマー紙幣Ｐ１無しの状態や、ポリマー紙幣Ｐ１の不透明部４１の通過時の状態では、投光された第１の検知光と第２の検知光との波長が異なる場合でも、第１の直交透過率と第２の直交透過率とはほぼ同一である。これに対して、ポリマー紙幣Ｐ１の透明部４２の通過時の状態では、投光された第１の検知光と第２の検知光との波長が異なる場合、第１の直交透過率と第２の直交透過率とが異なるため、第１の直交透過率と第２の直交透過率との間に差分が生じる。
【００３０】
［検出回路の構成］
図１０は、検出回路５０の一例を示す説明図である。図１０に示す検出回路５０は、第１の入力部５１と、第２の入力部５２と、遅延回路５３と、オペアンプ５４と、反転回路５５と、オア回路５６とを有する。第１の入力部５１は、第１の検知部３０Ａ内の第１の受光部３２Ａからの第１の直交透過率を遅延回路５３に出力する。第２の入力部５２は、第２の検知部３０Ｂ内の第２の受光部３２Ｂからの第２の直交透過率をオペアンプ５４の他方の入力段に出力する。
【００３１】
遅延回路５３は、第１の入力部５１からの第１の直交透過率を所定時間遅延させてオペアンプ５４の一方の入力段及び反転回路５５に出力する。オペアンプ５４は、遅延回路５３にて遅延後の第１の直交透過率と、第２の入力部５２からの第２の直交透過率との差分がある場合にハイレベル信号を出力する。反転回路５５は、遅延回路５３にて遅延後の第１の直交透過率が所定レベルＬ３以下、かつ最小レベルＬ２超えの場合にハイレベル信号を出力する。オア回路５６は、オペアンプ５４のハイレベル信号又は反転回路５５のハイレベル信号の何れか一方の出力でポリマー紙幣Ｐ１有りの信号として出力する。
【００３２】
［紙幣検知装置の動作の説明］
図１１は、ポリマー紙幣Ｐ１通過前の第１の検知部３０Ａ（第２の検知部３０Ｂ）の動作の一例を示す説明図である。第１の光源３３Ａは、第１の検知光を発光する。第１の偏光板３４Ａは、第１の光源３３Ａの第１の検知光からポリマー紙幣Ｐ１の透明部４２を透過するＳ波の光と直交するＰ波の第１の検知光を透過し、透過後のＰ波の第１の検知光を投光する。第１の受光素子３５Ａは、ポリマー紙幣Ｐ１が通過前、すなわち、紙幣無しの状態であるため、第１の偏光板３４Ａから投光されたＰ波の第１の検知光をそのまま受光する。第１の受光素子３５Ａは、Ｐ波の第１の検知光の受光に応じて、最大レベルＬ１の第１の直交透過率を取得する。
【００３３】
同様に、第２の検知部３０Ｂ内の第２の光源３３Ｂは、第２の検知光を発光する。第２の偏光板３４Ｂは、第２の光源３３Ｂの第２の検知光からＰ波の第２の検知光を透過し、透過後のＰ波の第２の検知光を投光する。第２の受光素子３５Ｂは、ポリマー紙幣Ｐ１が通過前、すなわち、紙幣無しの状態であるため、第２の偏光板３４Ｂから投光されたＰ波の第２の検知光をそのまま受光する。第２の受光素子３５Ｂは、Ｐ波の第２の検知光の受光に応じて、最大レベルＬ１の第２の直交透過率を取得する。
【００３４】
検出回路５０は、第１の受光素子３５Ａからの最大レベルＬ１の第１の直交透過率と、第２の受光素子３５Ｂからの最大レベルＬ１の第２の直交透過率とに基づき、搬送路上を通過中のポリマー紙幣Ｐ１が無しと判定する。
【００３５】
図１２は、ポリマー紙幣Ｐ１の不透明部４１が通過時の第１の検知部３０Ａ（第２の検知部３０Ｂ）の動作の一例を示す説明図である。第１の検知部３０Ａ内の第１の偏光板３４Ａは、第１の光源３３Ａの第１の検知光からＰ波の第１の検知光を透過し、透過後のＰ波の第１の検知光を通過中のポリマー紙幣Ｐ１の不透明部４１に投光する。第１の受光素子３５Ａは、通過中のポリマー紙幣Ｐ１の不透明部４１によってＰ波の第１の検知光の受光が著しく低下する。その結果、第１の受光素子３５Ａは、第１の検知光の受光に応じて最小レベルＬ２の第１の直交透過率を取得する。
【００３６】
また、第２の検知部３０Ｂ内の第２の偏光板３４Ｂは、第２の光源３３Ｂの第２の検知光からＰ波の第２の検知光を透過し、透過後のＰ波の第２の検知光を通過中のポリマー紙幣Ｐ１の不透明部４１に投光する。第２の受光素子３５Ｂは、通過中のポリマー紙幣Ｐ１の不透明部４１によってＰ波の第２の検知光の受光が著しく低下する。その結果、第２の受光素子３５Ｂは、第２の検知光の受光に応じて最小レベルＬ２の第２の直交透過率を取得する。
【００３７】
検出回路５０は、第１の受光素子３５Ａからの最小レベルＬ２の第１の直交透過率と、第２の受光素子３５Ｂからの最小レベルＬ２の第２の直交透過率とに基づき、ポリマー紙幣Ｐ１の不透明部４１の通過中を認識できる。
【００３８】
図１３は、ポリマー紙幣Ｐ１の透明部４２が通過時の第１の検知部３０Ａ（第２の検知部３０Ｂ）の動作の一例を示す説明図である。第１の検知部３０Ａ内の第１の偏光板３４Ａは、第１の光源３３Ａの第１の検知光からＰ波の第１の検知光を透過し、透過後のＰ波の第１の検知光を通過中のポリマー紙幣Ｐ１の透明部４２に投光する。第１の受光素子３５Ａは、通過中のポリマー紙幣Ｐ１の透明部４２によってＰ波の第１の検知光の一部を受光する。そして、第１の受光素子３５Ａは、受光した第１の検知光の一部に応じて所定レベルＬ３以下、かつ、最小レベルＬ２超えの第１の直交透過率を取得する。
【００３９】
また、第２の検知部３０Ｂ内の第２の偏光板３４Ｂは、第２の光源３３Ｂの第２の検知光からＰ波の第２の検知光を透過し、透過後のＰ波の第２の検知光を通過中のポリマー紙幣Ｐ１の透明部４２に投光する。第２の受光素子３５Ｂは、通過中のポリマー紙幣Ｐ１の透明部４２によって第２の偏光板３４Ｂからの第２の検知光の一部を受光する。そして、第２の受光素子３５Ｂは、受光した第２の検知光の一部に応じて所定レベルＬ３以下、かつ、最小レベルＬ２超えの第２の直交透過率を取得する。
【００４０】
検出回路５０は、所定レベルＬ３以下、かつ、最小レベルＬ２超えの第１の直交透過率及び第２の直交透過率とに基づき、ポリマー紙幣Ｐ１の透明部４２の通過中と認識できる。そして、検出回路５０は、ポリマー紙幣Ｐ１の不透明部４１の通過中と透明部４２の通過中との判定で、搬送路上を通過中のポリマー紙幣Ｐ１が有ると判定する。
【００４１】
図１４は、ポリマー紙幣Ｐ１の有無を検知する検出回路５０内の各出力波形の一例を示す説明図である。
【００４２】
タイミングＴ１の検出回路５０は、第１の受光素子３５Ａからの最大レベルＬ１の第１の直交透過率を第１の入力部５１に入力し、第２の受光素子３５Ｂからの最大レベルＬ１の第２の直交透過率を第２の入力部５２に入力する。第１の入力部５１は、最大レベルＬ１の第１の直交透過率を遅延回路５３に入力する。第２の入力部５２は、最大レベルＬ１の第２の直交透過率をオペアンプ５４の他方の入力段に入力する。
【００４３】
タイミングＴ１の遅延回路５３は、最大レベルＬ１の第１の直交透過率を所定時間遅延し、遅延後の第１の直交透過率をオペアンプ５４の他方の入力段に入力すると共に、遅延後の最大レベルＬ１の第１の直交透過率を反転回路５５に入力する。タイミングＴ１のオペアンプ５４は、所定時間遅延後の最大レベルＬ１の第１の直交透過率と、最大レベルＬ１の第２の直交透過率との間の差分がないため、ローレベルの出力信号をオア回路５６に出力する。
【００４４】
更に、タイミングＴ１の反転回路５５は、所定時間遅延後の最大レベルＬ１の第１の直交透過率が所定レベルＬ３を超えるため、ローレベルの出力信号をオア回路５６に出力する。そして、タイミングＴ１のオア回路５６は、オペアンプ５４からのローレベルの出力信号と、反転回路５５からのローレベルの出力信号とでローレベルの出力信号を検出回路５０として出力する。その結果、タイミングＴ１の検出回路５０は、搬送路上を通過中のポリマー紙幣Ｐ１が無しと判定出力する。
【００４５】
タイミングＴ２の検出回路５０は、第１の受光素子３５Ａからの第１の直交透過率及び、第２の受光素子３５Ｂからの第２の直交透過率を順次入力し、第１の直交透過率及び第２の直交透過率が徐々に低下したとする。タイミングＴ２の検出回路５０は、第１の直交透過率を遅延回路５３に入力すると共に、第２の直交透過率をオペアンプ５４の他方の入力段に入力する。
【００４６】
更に、タイミングＴ２の遅延回路５３は、第１の直交透過率を所定時間遅延し、遅延後の第１の直交透過率をオペアンプ５４の一方の入力段に入力すると共に、遅延後の第１の直交透過率を反転回路５５に入力する。タイミングＴ２のオペアンプ５４は、第２の直交透過率と第１の直交透過率とは所定時間の差があるため、第１の直交透過率及び第２の直交透過率が最小レベルＬ２に低下するまでは差分が生じ、ハイレベルの出力信号をオア回路５６に出力する。
【００４７】
また、タイミングＴ２の反転回路５５は、第１の直交透過率が所定レベルＬ３以下になるまでローレベルの出力信号をオア回路５６に出力する。タイミングＴ２のオア回路５６は、オペアンプ５４からのハイレベルの出力信号と、反転回路５５からのローレベルの出力信号との入力でハイレベルの出力信号を検出回路５０として出力する。その結果、タイミングＴ２の検出回路５０は、搬送路上を通過中のポリマー紙幣Ｐ１の不透明部４１が有ると判定出力する。
【００４８】
更に、タイミングＴ３の遅延回路５３は、第１の直交透過率を所定時間遅延し、遅延後の第１の直交透過率をオペアンプ５４の一方の入力段に入力すると共に、遅延後の第１の直交透過率を反転回路５５に入力する。タイミングＴ３のオペアンプ５４は、第２の直交透過率と第１の直交透過率とは所定時間の差があるため、第１の直交透過率及び第２の直交透過率が最小レベルＬ２に低下するまで差分が生じ、ハイレベルの出力信号をオア回路５６に出力する。
【００４９】
また、タイミングＴ３の反転回路５５は、第１の直交透過率が所定レベルＬ３以下になると、ハイレベルの出力信号をオア回路５６に出力する。タイミングＴ３のオア回路５６は、オペアンプ５４からのハイレベルの出力信号と、反転回路５５からのハイレベルの出力信号との入力でハイレベルの出力信号を検出回路５０として出力する。その結果、タイミングＴ３の検出回路５０は、搬送路上を通過中のポリマー紙幣Ｐ１の不透明部４１が有ると判定出力する。
【００５０】
更に、タイミングＴ４の遅延回路５３は、第１の直交透過率を所定時間遅延し、遅延後の第１の直交透過率をオペアンプ５４の一方の入力段に入力すると共に、遅延後の第１の直交透過率を反転回路５５に入力する。タイミングＴ４のオペアンプ５４は、第２の直交透過率と第１の直交透過率とは所定時間の差があるが、第１の直交透過率及び第２の直交透過率が最小レベルＬ２に低下したので差分がなく、ローレベルの出力信号をオア回路５６に出力する。
【００５１】
また、タイミングＴ４の反転回路５５は、第１の直交透過率が所定レベルＬ３以下になると、ハイレベルの出力信号をオア回路５６に出力する。タイミングＴ４のオア回路５６は、オペアンプ５４からのローレベルの出力信号と、反転回路５５からのハイレベルの出力信号との入力でハイレベルの出力信号を検出回路５０として出力する。その結果、タイミングＴ４の検出回路５０は、搬送路上を通過中のポリマー紙幣Ｐ１の不透明部４１が有ると判定出力する。
【００５２】
タイミングＴ５の検出回路５０は、第１の受光素子３５Ａからの第１の直交透過率及び、第２の受光素子３５Ｂからの第２の直交透過率を順次入力し、第１の直交透過率及び第２の直交透過率が徐々に上昇したとする。タイミングＴ５の検出回路５０は、第１の直交透過率を遅延回路５３に入力すると共に、第２の直交透過率をオペアンプ５４の他方の入力段に入力する。
【００５３】
更に、タイミングＴ５の遅延回路５３は、第１の直交透過率を所定時間遅延し、遅延後の第１の直交透過率をオペアンプ５４の一方の入力段に入力すると共に、遅延後の第１の直交透過率を反転回路５５に入力する。タイミングＴ５のオペアンプ５４は、第２の直交透過率と第１の直交透過率とは所定時間の差があるため、第２の直交透過率が第１の直交透過率よりも先に上昇するために差分が生じ、ハイレベルの出力信号をオア回路５６に出力する。
【００５４】
また、タイミングＴ５の反転回路５５は、第１の直交透過率が所定閾値未満になるまでハイレベルの出力信号をオア回路５６に出力する。タイミングＴ５のオア回路５６は、オペアンプ５４からのハイレベルの出力信号と、反転回路５５からのハイレベルの出力信号との入力でハイレベルの出力信号を検出回路５０として出力する。その結果、タイミングＴ５の検出回路５０は、搬送路上を通過中のポリマー紙幣Ｐ１の透明部４２が有ると判定出力する。
【００５５】
更に、タイミングＴ６の遅延回路５３は、第１の直交透過率を所定時間遅延し、遅延後の第１の直交透過率をオペアンプ５４の一方の入力段に入力すると共に、遅延後の第１の直交透過率を反転回路５５に入力する。タイミングＴ６のオペアンプ５４は、第２の直交透過率と第１の直交透過率とは所定時間の差があるため、第１の直交透過率及び第２の直交透過率が最大レベルＬ１まで上昇するまで差分が生じ、ハイレベルの出力信号をオア回路５６に出力する。
【００５６】
また、タイミングＴ６の反転回路５５は、第１の直交透過率が所定レベルＬ３を超えると、ローレベルの出力信号をオア回路５６に出力する。タイミングＴ６のオア回路５６は、オペアンプ５４からのハイレベルの出力信号と、反転回路５５からのローレベルの出力信号との入力でハイレベルの出力信号を検出回路５０として出力する。その結果、タイミングＴ６の検出回路５０は、搬送路上を通過中のポリマー紙幣Ｐ１の透明部４２が有ると判定出力する。
【００５７】
更に、タイミングＴ７の遅延回路５３は、第１の直交透過率を所定時間遅延し、遅延後の第１の直交透過率をオペアンプ５４の一方の入力段に入力すると共に、遅延後の第１の直交透過率を反転回路５５に入力する。タイミングＴ７のオペアンプ５４は、第２の直交透過率と第１の直交透過率とは所定時間の差があるが、第１の直交透過率が最大レベルまで上昇した場合に差分がなくなるため、ローレベルの出力信号をオア回路５６に出力する。
【００５８】
また、タイミングＴ７の反転回路５５は、第１の直交透過率が所定閾値以上になると、ローレベルの出力信号をオア回路５６に出力する。タイミングＴ７のオア回路５６は、オペアンプ５４からのローレベルの出力信号と、反転回路５５からのローレベルの出力信号との入力でローレベルの出力信号を検出回路５０として出力する。その結果、タイミングＴ７の検出回路５０は、搬送路上を通過中のポリマー紙幣Ｐ１が無しと判定出力する。
【００５９】
その結果、オア回路５６は、ハイレベルの出力信号を出力中の場合、搬送路上を通過中のポリマー紙幣Ｐ１が有ると判定する。そして、オア回路５６は、ローレベルの出力信号を出力中の場合、搬送路上を通過中のポリマー紙幣Ｐ１が無しと判定する。
【００６０】
［紙幣検知装置の比較例］
図１５は、比較例の紙幣検知装置１００におけるポリマー紙幣Ｐ１の部位と透過率との関係の一例を示す説明図である。紙幣検知装置１００は、搬送路上を通過するポリマー紙幣Ｐ１を検知する１個の検知部１１０を有し、検知部１１０は、第３の波長の第３の検知光を発光する発光部１１１と、投光された第３の検知光を受光する受光部１１２とを有する。
【００６１】
受光部１１２は、受光部１１２と発光部１１１の間に紙幣Ｐ１が無い時に発光部１１１からの第３の検知光が投光された場合、投光された第３の検知光を受光することで、最大レベルＬ１１の透過率を取得する。その結果、紙幣検知装置１００は、搬送路上を通過中のポリマー紙幣Ｐ１が無しと判定する。
【００６２】
また、受光部１１２は、受光部１１２と発光部１１１の間を紙幣Ｐ１の不透明部４１が通過する時に発光部１１１からの第３の検知光が投光された場合、不透明部であるため、投光された第３の検知光に対する透過率が著しく低下するため、最小レベルＬ１２の透過率を取得する。その結果、紙幣検知装置１００は、搬送路上を通過中のポリマー紙幣Ｐ１の不透明部４１が有ると判定する。
【００６３】
また、受光部１１２は、受光部１１２と発光部１１１の間を紙幣Ｐ１の透明部４２が通過する時に発光部１１１からの第３の検知光が投光された場合、所定レベルＬ１３以上の透過率を取得する。その結果、紙幣検知装置１００は、搬送路上を通過中のポリマー紙幣Ｐ１の透明部４２が有ると判定する。
【００６４】
更に、受光部１１２は、発光部１１１からの第３の検知光が投光された場合、投光された第３の検知光を受光することで、最大レベルＬ１１の透過率を取得する。その結果、紙幣検知装置１００は、搬送路上を通過中のポリマー紙幣Ｐ１が無しと判定する。つまり、紙幣検知装置１００は、搬送路上を通過中のポリマー紙幣の有無を判定できる。
【００６５】
しかしながら、紙幣検知装置１００では、透過率が所定レベルＬ１３であるか否かでポリマー紙幣Ｐ１の有無を判定するが、外部環境の影響によって透過率が大きく変動するため、ポリマー紙幣Ｐ１の有無を誤検知する虞が大である。
【００６６】
［実施例の効果］
本実施例の紙幣検知装置１０では、第１の検知部３０Ａで取得された透明部４２に対する第１の直交透過率と第２の検知部３０Ｂで取得された透明部４２に対する第２の直交透過率との間の差分に基づき、搬送路上を通過するポリマー紙幣Ｐ１の有無を判定する。その結果、第１の直交透過率及び第２の直交透過率は外部環境によって大きく変動するものの、第１の直交透過率と第２の直交透過率との間の差分の誤差は変動し難いため、ポリマー紙幣Ｐ１の有無の誤検知を防止できる。
【００６７】
紙幣検知装置１０は、第１の直交透過率と第２の直交透過率との間の差分がある場合に、搬送路上を通過中のポリマー紙幣Ｐ１が有ると判定する。その結果、ポリマー紙幣Ｐ１の有無の誤検知を防止できる。
【００６８】
紙幣検知装置１０は、第１の検知部３０Ａ及び第２の検知部３０Ｂが搬送路上の搬送方向Ｄ１と直交する幅方向Ｄ２に並列に配置される。第１の検知部３０Ａは、幅方向Ｄ２にある第１の位置Ｙ１に第１の検知光を投光する。更に、第２の検知部３０Ｂは、第１の位置Ｙ１と幅方向Ｄ２に離間した第２の位置Ｙ２に第２の検知光を第１の検知光と同一のタイミングで投光する。その結果、縦長搬送のポリマー紙幣の誤検知を防止できる。
【００６９】
紙幣検知装置１０は、遅延回路５３にて遅延後の第１の直交透過率と、第２の入力部５２から入力された第２の直交透過率との間に差分がある場合にハイレベル信号を出力するオペアンプ５４を有する。更に、紙幣検知装置１０は、遅延回路５３にて遅延後の第１の直交透過率が所定レベルＬ３以下の場合にハイレベル信号を出力する反転回路５５を有する。更に、紙幣検知装置１０は、オペアンプ５４のハイレベル信号又は反転回路５５のハイレベル信号の何れか一方の出力で、通過中のポリマー紙幣Ｐ１が有りの信号として出力する。その結果、論理回路でポリマー紙幣Ｐ１有無の誤検知を防止できる。
【００７０】
第１の検知部３０Ａ内の第１の発光部３１Ａは、第１の検知光を発光する第１の光源３３Ａと、発光された第１の検知光を透過し、透過後の第１の検知光を投光する第１の偏光板３４Ａとを有する。第２の検知部３０Ｂ内の第２の発光部３１Ｂは、第２の検知光を発光する第２の光源３３Ｂと、発光された第２の検知光を透過し、透過後の第２の検知光を投光する第２の偏光板３４Ｂとを有する。その結果、第１の受光部３２Ａでは、第１の直交透過率を取得し、第２の受光部３２Ｂでは、第２の直交透過率を取得できる。
【００７１】
［他の実施例］
尚、上記実施例の紙幣検知装置１０では、第１の検知部３０Ａと、第２の検知部３０Ｂと、検出回路５０とを例示し、検出回路５０は、ポリマー紙幣Ｐ１の有無を判定する論理回路で構成する場合を例示した。しかしながら、紙幣検知装置１０は、第１の検知部３０Ａからの第１の直交透過率と、第２の検知部３０Ｂからの直交透過率とに基づき、ポリマー紙幣Ｐ１の有無をソフトウェア的に判定しても良い。図１６は、他の実施例の紙幣検知装置１０の機能構成の一例を示すブロック図である。尚、本実施例の紙幣検知装置１０と同一の構成には同一符号を付すことで、その重複する構成及び動作の説明については省略する。
【００７２】
図１６に示す紙幣検知装置１０は、第１の検知部３０Ａと、第２の検知部３０Ｂと、記憶部６１と、制御部６２とを有する。制御部６２は、第１の検知部３０Ａで取得された透明部４２に対する第１の直交透過率と第２の検知部３０Ｂで取得された透明部４２に対する第２の直交透過率との間の差分を算出する。更に、制御部６２は、第１の直交透過率と第２の直交透過率との間の差分に基づき、搬送路上を通過中のポリマー紙幣Ｐ１の透明部４２、すなわち通過中のポリマー紙幣Ｐ１の有無を判定する。制御部６２は、第１の直交透過率及び第２の直交透過率が最大レベルＬ１の場合、搬送路上を通過中のポリマー紙幣Ｐ１が無しと判定する。更に、制御部６２は、第１の直交透過率及び第２の直交透過率が最小レベルＬ２の場合、搬送路上を通過中のポリマー紙幣Ｐ１の不透明部４１が有ると判定する。更に、制御部６２は、第１の直交透過率と第２の直交透過率との間に差分がある場合、搬送路上を通過中のポリマー紙幣Ｐ１の透明部４２が有ると判定する。その結果、論理回路を用いなくても、搬送路上を通過中のポリマー紙幣Ｐ１の有無の誤検知を防止できる。
【００７３】
［他の実施例］
図１７は、他の実施例の第１の検知部３０Ａ（第２の検知部３０Ｂ）の一例を示す説明図である。尚、実施例の紙幣検知装置１０と同一の構成には同一符号を付すことで、その重複する構成及び動作の説明については省略する。図７に示す第１の検知部３０Ａでは、第１の偏光板３４Ａを第１の発光部３１Ａに内蔵する場合を例示した。しかしながら、図１７に示す第１の検知部３０Ａでは、第１の偏光板３４Ａの代わりに第１の偏光板３６Ａを第１の受光部３２Ａ内の第１の受光素子３５Ａの前段に配置しても良い。尚、第１の偏光板３６Ａは、ポリマー紙幣Ｐ１の透明部４２がＳ波の光を透過する場合、Ｐ波の光を透過する偏光板である。
【００７４】
また、図７に示す第２の検知部３０Ｂでは、第２の偏光板３４Ｂを第２の発光部３１Ｂに内蔵する場合を例示した。しかしながら、図１７に示す第２の検知部３０Ｂでは、第２の偏光板３４Ｂの代わりに第２の偏光板３６Ｂを第２の受光部３２Ｂ内の第２の受光素子３５Ｂの前段に配置しても良い。尚、第２の偏光板３６Ｂは、ポリマー紙幣Ｐ１の透明部４２がＳ波の光を透過する場合、Ｐ波の光を透過する偏光板とする。
【００７５】
第１の受光部３２Ａは、第１の発光部３１Ａにて投光された第１の検知光を透過する第１の偏光板３６Ａと、第１の偏光板３６Ａにて透過後の第１の検知光を受光する第１の受光素子３５Ａとを有する。第２の受光部３２Ｂは、第２の発光部３１Ｂにて投光された第２の検知光を透過する第２の偏光板３６Ｂと、第２の偏光板３６Ｂにて透過後の第２の検知光を受光する第２の受光素子３５Ｂとを有する。その結果、第１の受光部３２Ａでは、第１の直交透過率を取得し、第２の受光部３２Ｂでは、第２の直交透過率を取得できる。
【００７６】
尚、図７に示す第１の検知部３０Ａは、ポリマー紙幣Ｐ１の透明部４２を透過する光がＳ波の場合、Ｓ波と直交するＰ波の第１の検知光を透過する第１の偏光板３４Ａを配置する場合を例示した。しかしながら、第１の検知部３０Ａ内の第１の偏光板３４Ａ（３６Ａ）は、ポリマー紙幣Ｐ１の透明部４２を透過する光がＰ波の場合、Ｐ波と直交するＳ波の第１の検知光を透過する偏光板を採用する。この場合、第２の検知部３０Ｂ内の第２の偏光板３４Ｂ（３６Ｂ）も、Ｓ波の第２の検知光を透過する偏光板とする。
【００７７】
紙幣検知装置１０では、ポリマー紙幣Ｐ１を縦長搬送する場合、第１の検知部３０Ａ及び第２の検知部３０Ｂを並列配置する場合を例示した。しかしながら、２個の検知部ではなく、単一の検知部を使用する方法も考えられる。第１の検知光と、第１の検知光と異なる波長の第２の検知光とを高速に切り替えて第１の検知光に対する第１の直交透過率及び、第２の検知光に対する第２の直交透過率を取得しても良く、適宜変更可能である。
【００７８】
本実施例の紙幣取扱装置１では、例えば、ＡＴＭ(Automatic  Teller  Machine)を例示したが、例えば、ＣＤ(Cash  Dispenser)、ＴＣＲ(Teller  Cash  Recycler)や両替機等の紙幣取扱装置でも良く、適宜変更可能である。
【００７９】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００８０】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【符号の説明】
【００８１】
１０  紙幣検知装置
３０Ａ  第１の検知部
３０Ｂ  第２の検知部
３１Ａ  第１の発光部
３１Ｂ  第２の発光部
３２Ａ  第１の受光部
３２Ｂ  第２の受光部
３３Ａ  第１の光源
３３Ｂ  第２の光源
３４Ａ  第１の偏光板
３４Ｂ  第２の偏光板
３５Ａ  第１の受光素子
３５Ｂ  第２の受光素子
３６Ａ  第１の偏光板
３６Ｂ  第２の偏光板
４１  不透明部
４２  透明部
５０  検出回路
５１  第１の入力部
５２  第２の入力部
５３  遅延回路
５４  オペアンプ
５５  反転回路
５６  オア回路
Ｐ１  ポリマー紙幣
【図１】
2020154461.tif 000003
【図２】
2020154461.tif 000004
【図３】
2020154461.tif 000005
【図４】
2020154461.tif 000006
【図５】
2020154461.tif 000007
【図６】
2020154461.tif 000008
【図７】
2020154461.tif 000009
【図８】
2020154461.tif 000010
【図９】
2020154461.tif 000011
【図１０】
2020154461.tif 000012
【図１１】
2020154461.tif 000013
【図１２】
2020154461.tif 000014
【図１３】
2020154461.tif 000015
【図１４】
2020154461.tif 000016
【図１５】
2020154461.tif 000017
【図１６】
2020154461.tif 000018
【図１７】
2020154461.tif 000019